(57)【特許請求の範囲】
【請求項１】
入力される電源投入信号に従って直流電源を供給する電源装置に接続され、主電源として該直流電源の供給を受ける負荷回路に備えられる電源投入制御回路であって、
前記電源装置に対し前記電源投入信号を出力する出力回路と、
前記電源投入信号を活性にしたときに計時を開始するタイマーと、
前記主電源の電圧が規定電圧となっているとき主電源正常信号を出力する主電源監視回路と、
を備え、
前記タイマーにより所定時間が計時されるまでに前記主電源監視回路から前記主電源正常信号が出力されなかった場合には、前記電源投入信号を非活性にすることにより前記電源装置に前記直流電源の供給を停止させ、
前記主電源の電圧が所定値を越えたときに計時を開始する第２タイマーを更に備え、
前記第２タイマーにより所定時間が計時されるまでに、前記主電源監視回路から前記主電源正常信号が出力されなかった場合には、前記電源投入信号を非活性にすることにより前記電源装置に前記直流電源の供給を停止させることを特徴とする電源投入制御回路。
【請求項２】
入力される電源投入信号に従って直流電源を供給する電源装置に接続され、主電源として該直流電源の供給を受ける負荷回路に備えられる電源投入制御回路であって、
前記電源装置に対し前記電源投入信号を出力する出力回路と、
前記電源投入信号を活性にしたときに計時を開始するタイマーと、
前記主電源の電圧が規定電圧となっているとき主電源正常信号を出力する主電源監視回路と、
を備え、
前記タイマーにより所定時間が計時されるまでに前記主電源監視回路から前記主電源正常信号が出力されなかった場合には、前記電源投入信号を非活性にすることにより前記電源装置に前記直流電源の供給を停止させ、
前記負荷回路には前記主電源の供給を受けて別の直流電源を出力する１又は２以上の副電源が設けられており、
前記主電源の電圧が所定値を越えたときに計時を開始する第２タイマーと、
各前記副電源の出力電圧が規定電圧となっているとき当該副電源について副電源正常信号を出力する副電源監視回路と、
を更に備え、
前記第２タイマーにより所定時間が計時されるまでに、少なくとも１つの前記副電源監視回路から前記副電源正常信号が出力されなかった場合には、前記電源投入信号を非活性にすることにより前記電源装置に前記直流電源の供給を停止させることを特徴とする電源投入制御回路。
【請求項３】
前記第２タイマーにより所定時間が計時されるまでに、更に前記主電源監視回路から前記主電源正常信号が出力されなかった場合には、前記電源投入信号を非活性にすることにより前記電源装置に前記直流電源の供給を停止させる請求項２記載の電源投入制御回路。
【請求項４】
前記第２タイマーは前記主電源の電圧に比例した電圧が入力される論理回路素子を備え、前記所定値として該論理回路素子の閾値を用いる請求項１乃至３のいずれかに記載の電源投入制御回路。
【請求項５】
前記電源装置は、供給する前記直流電源が規定電圧となっていることを示す電源正常信号の出力を備えており、
前記主電源監視回路は、前記電源装置から出力される前記電源正常信号を前記主電源正常信号として用いる請求項１乃至４のいずれかに記載の電源投入制御回路。
【発明の詳細な説明】
【技術分野】
【０００１】
本発明は、電源投入制御回路に関し、詳しくは、情報処理装置の電源又は電子回路に故障があった場合には、電源投入の直後に給電を停止することにより装置の保護及び安全を図ることができる電源投入制御回路に関する。
【背景技術】
【０００２】
近年、パーソナルコンピュータ（ＰＣ）のマザーボードや周辺装置等の電子回路は、多種類の直流電源によって動作している。このため、通常、ＰＣ等には複数の直流電源を供給する電源装置を備え、その電源装置から負荷となる各電子回路に複数の電源を供給するように構成されている。これに使用される電源装置として、ＡＴＸ電源（ATX Specification Version 2.2、及びATX12V Power Supply Design Guide Version 2.2を参照）が広く知られており、マザーボードや周辺回路上のマイクロプロセッサやメモリ、入出力、ビデオ、ハードディスクドライブ等に電源が供給される。さらに、回路各部に対して、電源装置から供給される直流電源を更に降圧等して専用の電源系が設けられる場合も多い。
【０００３】
複数の直流電源（電圧源）を使用する際には、電源装置や負荷となる回路に故障を生じた場合の電子回路の保護が問題となる。例えば、複数の電圧源から電圧を印加すべき回路において、少なくともいずれか１つの電圧源から電圧が印加されない場合には回路に不所望な電圧が印加されることになって、回路が破壊されるという問題がある。この回路の破壊を抑制するために、電圧値が一定値以上かどうか等に基づいて各電圧源から回路に電圧印加可能か否かを判定し、いずれかの電圧源から回路に電圧印加不可能と判定した場合には回路への電圧印加を阻止する回路保護装置が開示されている（特許文献１を参照）。
【０００４】
また、装置の電源投入処理時間を監視することによってその装置の故障を判断する手法がある。例えば、複数の装置によって構成される情報処理システムにおいて、各装置について電源投入時から電源投入動作終了までの投入処理時間を監視し、記憶されている正常時の投入処理時間より投入処理時間の計測値が大となったときに、その装置が異常であると判定する電源投入監視システムが開示されている（特許文献２を参照）。
【先行技術文献】
【特許文献】
【０００５】
【特許文献１】特開２００６−３１１７７３号公報
【特許文献２】特開平２−２６６４１０号公報
【発明の概要】
【発明が解決しようとする課題】
【０００６】
前記のとおり、ＰＣ等情報処理装置内の電子回路において使用される電源が多種類となるに伴い、ＰＣ等に備えられた電源装置及び電子回路のいずれかの部分に故障が生じた場合の保護及び安全が重要な問題となる。故障によって電子回路が破壊されるに止まらず、使用部品の発煙や発火等の事故を招く場合があるからである。
前記特許文献１に示されている回路保護装置を使用すれば、複数の電源を使用する回路に不所望の電源が印加されることによる回路の破壊を防ぐことができる。しかしながら、多様な回路を対象として故障時の安全を期するためには、広範に適用可能な手法が必要である。
また、前記特許文献２に記載されているように、情報処理装置の電源投入時から電源投入動作終了までの投入処理時間を監視することによって、当該装置の故障を認識することができる。しかし、装置内の電子回路の故障による発煙や発火を防止するという目的のためには、装置内部において異常を最短時間で検出し、異常を検出したときは直ちに電源を切断するようにすることが必要である。
電源及び電子回路のいかなる部分においても故障が生じる可能性があり、故障の態様もさまざまである。故障によって電子回路内に異常な電流が生じると、極めて短時間（例えば１秒程度）で発煙や発火に至る場合がある。したがって、電源投入直後において、一般には電子回路の初期化の段階で、故障の可能性がある場合には直ちに電子回路への電源供給を停止することが要求される。
【０００７】
本発明は、上記のような問題に鑑み、情報処理装置の電源又は電子回路に故障があった場合には、電源投入の直後に給電を停止することにより装置の保護及び安全を図ることができる電源投入制御回路を提供することを目的とする。
【課題を解決するための手段】
【０００８】
上記問題点を解決するために、第１の発明は、入力される電源投入信号に従って直流電源を供給する電源装置に接続され、主電源として該直流電源の供給を受ける負荷回路に備えられる電源投入制御回路であって、前記電源装置に対し前記電源投入信号を出力する出力回路と、前記電源投入信号を活性にしたときに計時を開始するタイマーと、前記主電源の電圧が規定電圧となっているとき主電源正常信号を出力する主電源監視回路と、を備え、前記タイマーにより所定時間が計時されるまでに前記主電源監視回路から前記主電源正常信号が出力されなかった場合には、前記電源投入信号を非活性にすることにより前記電源装置に前記直流電源の供給を停止させ、前記主電源の電圧が所定値を越えたときに計時を開始する第２タイマーを更に備え、前記第２タイマーにより所定時間が計時されるまでに、前記主電源監視回路から前記主電源正常信号が出力されなかった場合には、前記電源投入信号を非活性にすることにより前記電源装置に前記直流電源の供給を停止させることを要旨とする。
【０００９】
第２の発明は、入力される電源投入信号に従って直流電源を供給する電源装置に接続され、主電源として該直流電源の供給を受ける負荷回路に備えられる電源投入制御回路であって、前記電源装置に対し前記電源投入信号を出力する出力回路と、前記電源投入信号を活性にしたときに計時を開始するタイマーと、前記主電源の電圧が規定電圧となっているとき主電源正常信号を出力する主電源監視回路と、を備え、前記タイマーにより所定時間が計時されるまでに前記主電源監視回路から前記主電源正常信号が出力されなかった場合には、前記電源投入信号を非活性にすることにより前記電源装置に前記直流電源の供給を停止させ、前記負荷回路には前記主電源の供給を受けて別の直流電源を出力する１又は２以上の副電源が設けられており、前記主電源の電圧が所定値を越えたときに計時を開始する第２タイマーと、各前記副電源の出力電圧が規定電圧となっているとき当該副電源について副電源正常信号を出力する副電源監視回路と、を更に備え、前記第２タイマーにより所定時間が計時されるまでに、少なくとも１つの前記副電源監視回路から前記副電源正常信号が出力されなかった場合には、前記電源投入信号を非活性にすることにより前記電源装置に前記直流電源の供給を停止させることを要旨とする。
第３の発明は、上記第２の発明において、前記第２タイマーにより所定時間が計時されるまでに、更に前記主電源監視回路から前記主電源正常信号が出力されなかった場合には、前記電源投入信号を非活性にすることにより前記電源装置に前記直流電源の供給を停止させることを要旨とする。
【００１０】
第４の発明は、上記第１乃至３のいずれかの発明において、前記第２タイマーは前記主電源の電圧に比例した電圧が入力される論理回路素子を備え、前記所定値として該論理回路素子の閾値を用いることを要旨とする。
【００１１】
第５の発明は、上記第１乃至４のいずれかの発明において、前記電源装置は、供給する前記直流電源が規定電圧となっていることを示す電源正常信号の出力を備えており、前記主電源監視回路は、前記電源装置から出力される前記電源正常信号を前記主電源正常信号として用いることを要旨とする。
【発明の効果】
【００１２】
第１の発明の電源投入制御回路によれば、電源投入信号に従って直流電源を供給する電源装置に接続され、主電源として該直流電源の供給を受ける負荷回路に備えられる電源投入制御回路であって、電源装置に対し電源投入信号を出力する出力回路と、電源投入信号を活性にしたときに計時を開始するタイマーと、主電源が規定電圧となっているとき主電源正常信号を出力する主電源監視回路と、を備え、タイマーにより所定時間が計時されるまでに主電源正常信号が出力されなかった場合には、電源投入信号を非活性にすることにより電源装置に直流電源の供給を停止させるため、負荷回路への最短の通電時間で電源系の異常を検出することができ、予測されない故障があった場合にも故障部位を問わず総合的に負荷回路の発煙や発火等の事故を防止することが可能になる。また、少ない部品数で簡単に回路を構成することができ、複雑な制御処理を必要としない。
また、前記主電源の電圧が所定値を越えたときに計時を開始する第２タイマーを更に備え、第２タイマーにより所定時間が計時されるまでに主電源正常信号が出力されなかった場合には電源投入信号を非活性にするため、主電源の電圧が所定値を越えて立ち上がり始めてからの最短時間で、精度よく電源系の異常を検出することができる。すなわち、主電源の立ち上がり開始前には発煙や発火等の事故に結び付く可能性が低い。また、例えば電源を切ってから次に電源を投入するまでの時間が短い場合には電源回路に存在する静電容量が放電されていない等により、電源を投入してから主電源が立ち上がるまでの時間は電源投入時の状態によって大幅に変動する。したがって、主電源の立ち上がり開始時を起点にすることによってその変動を除くことができ、異常の有無を精度よく最短時間で検出することが可能になる。
【００１３】
第２の発明によれば、電源投入信号に従って直流電源を供給する電源装置に接続され、主電源として該直流電源の供給を受ける負荷回路に備えられる電源投入制御回路であって、電源装置に対し電源投入信号を出力する出力回路と、電源投入信号を活性にしたときに計時を開始するタイマーと、主電源が規定電圧となっているとき主電源正常信号を出力する主電源監視回路と、を備え、タイマーにより所定時間が計時されるまでに主電源正常信号が出力されなかった場合には、電源投入信号を非活性にすることにより電源装置に直流電源の供給を停止させるため、負荷回路への最短の通電時間で電源系の異常を検出することができ、予測されない故障があった場合にも故障部位を問わず総合的に負荷回路の発煙や発火等の事故を防止することが可能になる。また、少ない部品数で簡単に回路を構成することができ、複雑な制御処理を必要としない。
また、前記負荷回路には前記主電源の供給を受けて別の直流電源を出力する１又は２以上の副電源が設けられており、主電源の電圧が所定値を越えたときに計時を開始する第２タイマーと、各副電源の出力電圧が規定電圧となっているとき当該副電源について副電源正常信号を出力する副電源監視回路と、を更に備え、第２タイマーにより所定時間が計時されるまでに、少なくとも１つの副電源監視回路から副電源正常信号が出力されなかった場合には電源投入信号を非活性にするため、主電源の立ち上がり開始時を起点として副電源の立ち上がり完了までの時間を監視することにより負荷回路の電源系ごとに異常を検出することができ、いずれかの電源系に異常があったときには直ちに主電源を切ることができる。
第３の発明によれば、前記第２タイマーにより所定時間が計時されるまでに、更に前記主電源監視回路から主電源正常信号が出力されなかった場合には、電源投入信号を非活性にするため、主電源の立ち上がり開始時を起点として主電源及び副電源の立ち上がり完了までの時間を監視することにより、主電源、副電源及び負荷回路の各電源系のいずれに異常があっても検出することができ、いずれかに異常があったときには直ちに主電源を切ることができる。主電源の立ち上がり開始時を起点とするため電源投入時の状態により立ち上がり時間が変動する影響を受けることがなく、電源装置及び負荷回路のすべての電源系について異常を精度よく検出することができる。
【００１４】
第４の発明によれば、前記第２タイマーは前記主電源の電圧に比例した電圧が入力される論理回路素子を備え、主電源の立ち上がり開始を判定するための基準値として該論理回路素子の閾値を用いるため、極めて簡単な回路構成により電源投入制御回路を実現することができる。
【００１５】
第５の発明によれば、前記電源装置は、供給する直流電源が規定電圧となっていることを示す電源正常信号の出力を備えており、前記主電源監視回路は、電源装置から出力される電源正常信号を主電源正常信号として用いるため、電源装置としてＡＴＸ電源等を用いる場合に最小の構成によって電源投入制御回路を実現することができる。
【図面の簡単な説明】
【００１６】
以下の図面において、同様の参照符号は図面のいくつかの図を通して同様の構成又は部品を示す。
【図１】電源装置と、その電源装置から直流電源（主電源）の供給を受ける負荷回路とからなるシステムの例を表わすブロック図である。
【図２】電源投入制御回路の構成例を表わすブロック図である。
【図３】副電源が備えられる場合の電源投入制御回路の構成例を表わすブロック図である。
【図４】副電源が備えられる場合の、電源投入制御回路の別の構成例を表わすブロック図である。
【図５】主電源の電圧が所定値を越えたかどうかを論理回路素子により検出する例を表わす回路図である。
【図６】主電源正常（又は副電源正常）信号を生成する回路図である。
【図７】図６に示した回路のタイミングチャートである。
【図８】電源投入制御回路の動作を表わすタイミングチャートである。
【図９】電源投入制御回路の別の動作を表わすタイミングチャートである。
【図１０】副電源が備えられる場合の電源投入制御回路の動作を表わすタイミングチャートである。
【図１１】電源投入制御方法の例を示すフローチャートである。
【図１２】電源投入制御方法の別の例を示すフローチャートである。
【図１３】副電源が備えられる場合の電源投入制御方法の例を示すフローチャートである。
【図１４】ＡＴＸ電源で規定された電源投入時のタイミングを表わす図である。
【発明を実施するための形態】
【００１７】
（１）電源投入制御回路の構成
本発明の電源投入制御回路は、入力される電源投入信号に従って直流電源を出力する電源装置と、その電源装置から直流電源の供給を受ける負荷回路とからなるシステムにおいて、その負荷回路側に備えられ、電源装置に対して出力する電源投入信号を制御する。
本電源投入制御回路が適用される負荷回路は特に限定されず、例えば、パーソナルコンピュータ等のマザーボード、ＣＰＵを始めメモリ、入出力、ビデオ等の周辺回路、ハードディスクドライブ等周辺装置の制御回路や駆動回路などが挙げられる。
また、前記電源装置は、その電源の出力のオン、オフを制御するための信号（電源投入信号）が備えられている限り、特に限定されない。代表的な電源装置としては、パーソナルコンピュータ等に使用されているＡＴＸ電源が挙げられる。
【００１８】
前記の電源装置と負荷回路とからなるシステムは、例えば図１に示すように構成される。なお、以下の図面及び説明において負論理の信号には符号＃を付して表わすが、各信号の論理は限定されるものではない。
電源装置２は商用電源（ＡＣ）等の供給を受け、外部から与えられる電源投入信号（ＰＳ＿ＯＮ＃）に従って直流電源（ＤＣｍ）を負荷回路９に供給する。電源投入信号は、負荷回路９から電源装置２に出力するように構成することができる。この電源投入信号は、電源装置２に対して直流電源の入（オン）及び切（オフ）を制御可能な信号であればよく、例えば、電源投入信号ＰＳ＿ＯＮ＃が活性（オン）とされている間は負荷回路９に直流電源ＤＣｍが出力され、電源投入信号が非活性（オフ）とされている間は負荷回路９に直流電源が出力されないように制御する信号とすることができる。
電源装置２から供給される直流電源ＤＣｍの数及び種類は問わず、例えば、規定電圧が＋１２Ｖ、＋５Ｖ、＋３．３Ｖ等のうち１以上の電源とすることができる。
【００１９】
負荷回路９は、電源装置２から出力される直流電源ＤＣｍを主電源として動作する電子回路であり、その内部の回路各部や装置等９１に必要な電源が供給される。負荷回路９には、電源装置２から直流電源ＤＣｍの供給を受けて別の直流電源を生成する１又は２以上の副電源（９２ａ、９２ｂ、９２ｃ等）を備えることができる。内部回路等９１には、電源装置２から出力された直流電源ＤＣｍがそのまま供給されてもよいし、副電源により生成された電源が供給されてもよい。
この他、負荷回路９には、電源装置２の直流電源がオフされている間の電源制御回路用に待機電源（ＶＳ）が供給されている。
【００２０】
図２は、上記負荷回路９に備えられる本電源投入制御回路の構成例を表わす。電源投入制御回路１は、電源装置２に対し電源投入信号３２を出力する出力回路３と、電源投入信号を活性にしたときに計時を開始するタイマー５と、直流電源ＤＣｍの電圧が略規定電圧となっているとき主電源正常信号ＰＧｍを出力する主電源監視回路４と、を備える。電源投入制御回路１は、電源装置２がオフとされている間も待機電源ＶＳが供給されるように構成される。
【００２１】
出力回路３は、電源装置２に対して直流電源ＤＣｍのオン及びオフを指示する電源投入信号３２を出力する回路である。電源投入信号３２は電源装置２のＰＳ＿ＯＮ＃端子に接続され、例えば、直流電源ＤＣｍの供給を要求する間は電源投入信号３２をオンとし、直流電源ＤＣｍの供給を停止させる間は電源投入信号３２をオフとするように構成することができる。出力回路３には、負荷回路側において電源投入を要求する電源要求信号３１（ＰＳｏｎ＃）が入力されている。電源スイッチ、ソフトウェアによるオン／オフ（soft on/off）、ＬＡＮによる起動（Wake on LAN）等の要因により電源オンが要求されたとき、電源要求信号３１がオンにセットされるように構成することができる。電源要求信号３１がオンのときには、出力回路３により電源装置２に対する電源投入信号３２がオンとされる。
【００２２】
主電源監視回路４は、直流電源ＤＣｍの電圧を監視して主電源正常信号（ＰＧｍ）を生成する回路である。主電源監視回路４は、あらかじめ定められた略規定電圧（Ｖｍｈ）を基準として、直流電源ＤＣｍの電圧がＶｍｈ以上であるとき主電源正常信号ＰＧｍをオンとするように構成することができる。すなわち、主電源正常信号ＰＧｍは当該直流電源ＤＣｍが正常に出力されていることを示す信号となる。そのため、基準となる略規定電圧Ｖｍｈは、各直流電源ＤＣｍについて規定された電圧範囲の最低レベルとすることができる。例えば、直流電源ＤＣｍの出力電圧が（＋１２Ｖ±５％）と規定されている場合、その略規定電圧Ｖｍｈは＋１２Ｖの９５％の電圧とすることができる。ただし、本電源投入制御回路は、電源系回路に異常があった場合の保護・安全を目的としているため、略規定電圧Ｖｍｈは更に低い値（例えば、規定電圧の９０％）としてもよい。直流電源ＤＣｍが複数である場合、主電源監視回路４はそれぞれの直流電源について備えることができる。
【００２３】
電源装置２がＡＴＸ電源である場合には、供給する直流電源の電圧が規定電圧の９５％以上となっていることを示す電源正常信号（ＰＷＲ＿ＯＫ）の出力が備えられている。そのような場合には、主電源監視回路４として、基準電圧と比較して主電源正常信号ＰＧｍを生成する回路を設ける必要はなく、ＡＴＸ電源から出力される電源正常信号ＰＷＲ＿ＯＫをそのまま主電源正常信号ＰＧｍとして用いるように構成することができる。
【００２４】
前記タイマー５は、あらかじめ定められた時間（Ｔａ）を計時するためのタイマー回路であり、出力回路３及び主電源監視回路４と接続されている。具体的な回路構成及び計時方法は特に限定されず、例えば、静電容量の充電特性等を利用したタイマーであってもよいし、デジタルカウンタ等が用いられてもよい。
タイマー５は、電源装置２に電源投入を指示したとき、すなわち出力回路３から出力される電源投入信号３２がオンに変化したときに計時を開始し、主電源監視回路４から主電源正常信号ＰＧｍが出力されたときには計時を停止するように構成することができる。これによって、電源装置２に電源投入を指示してから所定時間Ｔａ内に直流電源ＤＣｍが略規定電圧Ｖｍｈとなったかどうか、を監視することができる。タイマー５は、所定時間Ｔａ内に主電源正常信号ＰＧｍが到来しなかった場合には、出力信号ＴＯａをオンにセットするように構成することができる。そしてタイマー５の出力信号ＴＯａを出力回路３に送ることにより、電源装置２に直流電源の供給を停止させるための電源停止信号７として用いることができる。
【００２５】
上記電源投入制御回路１は、直流電源ＤＣｍの電圧があらかじめ定められた基準電圧（Ｖｍｌ）を越えたときに計時を開始する第２タイマー６を備えることができる。
第２タイマー６は、図２に示すように、直流電源ＤＣｍの電圧を基準電圧Ｖｍｌと比較する比較回路６１を備える。比較回路６１は、ヒステリシス特性を有する比較器を用いて、直流電源ＤＣｍの電圧が基準電圧Ｖｍｌを超えているとき主電源出力開始信号（ＰＵ）を出力するように構成することができる。これにより、第２タイマー６は、主電源出力開始信号ＰＵによって計時を開始し、前記主電源監視回路４から主電源正常信号ＰＧｍが出力されたときには計時を停止するように構成することができる。
【００２６】
上記の基準電圧Ｖｍｌは、直流電源ＤＣｍの立ち上り開始時の一定の電圧、例えば、直流電源ＤＣｍの規定電圧の１０％の電圧とすることができる。ただし、本電源投入制御回路は電源系回路に異常があった場合の保護・安全を目的としているため、基準電圧によって主電源の立ち上がりの開始が判断されればよく、基準電圧Ｖｍｌを更に高い値（例えば、規定電圧の１０〜５０％、好ましくは１０〜３５％）としてもよい。直流電源ＤＣｍが複数である場合、第２タイマー６はそれぞれの直流電源について備えることができる。
【００２７】
上記のとおり、基準電圧Ｖｍｌの値は厳密である必要はないため、比較回路６１を汎用の論理回路素子によって構成することができる。具体的には図５に示すように、電源装置２から供給される直流電源ＤＣｍの電圧に比例した電圧を論理回路素子６１１に入力し、その論理回路素子６１１の出力信号から上記主電源出力開始信号ＰＵを生成することができる。この場合、直流電源ＤＣｍの電圧に比例した電圧が論理回路素子６１１の閾値によって比較されることとなる。
例えば、直流電源ＤＣｍの規定電圧が＋５Ｖである場合には、直流電源ＤＣｍをそのまま論理回路素子６１１の入力端子に接続することにより、その電圧が論理回路素子６１１の閾値（Ｖｔｈ）を超えたとき、主電源出力開始信号ＰＵがオンとなるようにすることができる。論理回路素子６１１の閾値Ｖｔｈが１．６Ｖであれば、直流電源ＤＣｍが規定電圧５Ｖの３２％を超えたとき主電源出力開始信号ＰＵが出力されることとなり、好適に使用することができる。
【００２８】
図２に示すように、上記第２タイマー６は、上記比較回路６１から主電源出力開始信号ＰＵが出力されたとき計時を開始し、あらかじめ定められた時間（Ｔｂ）が経過したときには出力信号（ＴＯｂ）を発生するように構成することができる。具体的な計時方法や回路構成は特に限定されず、例えば、静電容量の充電特性等を利用したタイマーであってもよいし、デジタルカウンタ等が用いられてもよい。そして、前記主電源監視回路４から主電源正常信号ＰＧｍが出力されたときには計時を停止するように構成することができる。これによって、電源装置２から供給される直流電源ＤＣｍが基準電圧Ｖｍｌを超えて立ち上がってから所定時間Ｔｂ内に略規定電圧Ｖｍｈとなったかどうか、を監視することができる。時間Ｔｂは、電源装置及び負荷回路の特性等により、適宜に決めることができる。
第２タイマー６は、所定時間Ｔｂ内に主電源正常信号ＰＧｍが到来しなかった場合には、出力信号ＴＯｂをオンにセットするように構成することができる。そして第２タイマー６の出力信号ＴＯｂを出力回路３に送ることにより、電源装置２に直流電源の供給を停止させるための電源停止信号７として用いることができる。
【００２９】
電源装置２から直流電源ＤＣｍの供給を受けて別の直流電源を生成する１又は２以上の副電源９２が負荷回路９に設けられている場合にも、本電源投入制御回路は適用することができる。
図３は、負荷回路９上に１つの副電源９２が搭載されている場合の構成例を表わす。副電源９２は、電源装置２から直流電源ＤＣｍの供給を受けて別の直流電源（ＤＣｓ）を生成するものである限り、変換方式や生成される電圧は問わない。
電源投入制御回路１１は、副電源９２により出力される直流電源の電圧を監視する副電源監視回路８を備え、副電源監視回路８は直流電源ＤＣｓの電圧が略規定電圧（Ｖｓｈ）となっているとき副電源正常信号（ＰＧｓ）を出力するように構成される。この副電源正常信号ＰＧｓは、第２タイマー（６ｃ）に入力される。電源投入制御回路１１は、主電源正常信号ＰＧｍに替わり副電源正常信号ＰＧｓが第２タイマー６ｃに入力されている点を除き、前記電源投入制御回路１と同様に構成されている。
副電源が２以上ある場合には、副電源ごとに、出力される直流電圧が当該副電源の略規定電圧となっているとき副電源正常信号を出力する副電源監視回路を備えることができる。
【００３０】
副電源監視回路８により、直流電源ＤＣｓが副電源９２の略規定電圧Ｖｓｈ以上である間オンとなる副電源正常信号ＰＧｓが出力される。略規定電圧Ｖｓｈは、直流電源ＤＣｓについて規定された電圧範囲の最低レベルとすることができる。例えば、直流電源ＤＣｓの電圧が（＋５Ｖ±５％）と規定されている場合、略規定電圧Ｖｓｈは＋５Ｖの９５％の電圧とすることができる。ただし、主電源についての略規定電圧Ｖｍｈの場合と同様に、副電源について略規定電圧Ｖｓｈを更に低い値（例えば、規定電圧の９０％）に設定してもよい。
【００３１】
上記副電源監視回路８が負荷回路９上の回路のどこに設けられるかは特に限定されない。例えば、副電源監視回路８は、副電源９２に内蔵されていてもよいし、負荷回路上の初期化回路等に備えられていてもよい。すなわち、副電源の制御用ＩＣ等から、その副電源の電圧が略規定電圧（Ｖｓｈ）となっていることを示す信号が出力されている場合には、その信号を上記副電源正常信号ＰＧｓとして用いることができる。また、一般に負荷回路上には、電源電圧が規定値に達するまでの間はマイクロプロセッサ等にリセット信号を与える初期化回路が備えられている。したがって、その初期化回路により生成されるリセット信号を副電源正常信号ＰＧｓとして用いるように構成することができる。
【００３２】
第２タイマー６ｃは、前記比較回路６１を備え、比較回路６１から出力された主電源出力開始信号ＰＵによって計時を開始し、あらかじめ定められた時間（Ｔｃ）が経過したとき出力信号（ＴＯｃ）を発生するように構成されている。すなわち、前記第２タイマー６と同様の構成とすることができる。
第２タイマー６ｃは、直流電源ＤＣｍの電圧が基準電圧Ｖｍｌを超えて立ち上がったとき、すなわち比較回路６１から出力される主電源出力開始信号ＰＵがオンに変化したときに計時を開始し、副電源監視回路８から副電源正常信号ＰＧｓが出力されたときには計時を停止するように構成することができる。これによって、電源装置２から供給される直流電源ＤＣｍが電圧Ｖｍｌを超えて立ち上がってから所定時間Ｔｃ内に副電源９２の出力電圧が略規定電圧Ｖｓｈとなったかどうか、を監視することができる。時間Ｔｃは、電源装置及び副電源の特性と負荷回路の負荷の大きさ等により、適宜に決めることができる。
副電源９２の出力電圧が所定時間Ｔｃ内に略規定電圧Ｖｓｈとならなかった場合には、第２タイマー６ｃは出力信号ＴＯｃをオンにセットする。出力信号ＴＯｃは前記出力回路３に接続されており、電源装置２に直流電源の供給を停止させるための電源停止信号７として用いることができる。
【００３３】
副電源が２以上ある場合には、副電源ごとに副電源監視回路８を備え、１つの第２タイマー６ｃにより所定の時間Ｔｃが計測されるまでに、少なくとも１つの副電源監視回路８から副電源正常信号が出力されなかった場合には、第２タイマー６ｃの出力信号ＴＯｃがオンにセットされるように構成することができる。また、副電源ごとに副電源監視回路８及び第２タイマー６ｃを備え、それぞれの第２タイマー６ｃについて時間Ｔｃを定め、別個に出力信号ＴＯｃが出力されるように構成してもよい。
【００３４】
また、負荷回路９上に電源装置２から直流電源の供給を受けて別の直流電源を生成する１又は２以上の副電源９２が設けられている場合に、前記同様の副電源監視回路８を備え、前記第２タイマーにより所定時間（Ｔｄ）が計測されるまでに、前記主電源監視回路４から主電源正常信号ＰＧｍが出力されなかった場合又は少なくとも１つの副電源監視回路８から副電源正常信号ＰＧｓが出力されなかった場合には、電源装置２に直流電源の供給を停止させるように構成することができる。
例えば、図４に示す電源投入制御回路１２においては、電源装置２から供給される直流電源ＤＣｍが略規定電圧Ｖｍｈ以上であるときに出力される主電源正常信号ＰＧｍと、副電源監視回路８から出力される副電源正常信号ＰＧｓとの論理積（ワイヤードＯＲ）信号が第２タイマー６ｄに接続されている。第２タイマー６ｄは、主電源正常信号ＰＧｍ及び副電源正常信号ＰＧｓのいずれもがオンとなったときに計時を停止するようにすることができる。これによって、直流電源ＤＣｍが基準電圧Ｖｍｌを超えて立ち上がってから時間Ｔｄ内に、直流電源ＤＣｍが略規定電圧Ｖｍｈとなり、且つ副電源の出力電圧ＤＣｓが略規定電圧Ｖｓｈとなったかどうか、を監視することができる。時間Ｔｄは、電源装置及び副電源の特性と負荷回路の負荷の大きさ等により、適宜に決めることができる。
時間Ｔｄ内に主電源正常信号ＰＧｍ及び副電源正常信号ＰＧｓのいずれかが出力されなかった場合には、第２タイマー６ｄは出力信号ＴＯｄをオンにセットする。出力信号ＴＯｄは前記出力回路３に接続されており、電源装置２に直流電源の供給を停止させるための電源停止信号７として用いることができる。
【００３５】
上記電源投入制御回路１２では、主電源正常信号ＰＧｍと副電源正常信号ＰＧｓとの論理積信号がタイマー５ａにも接続されている。タイマー５ａは、主電源正常信号ＰＧｍ及び副電源正常信号ＰＧｓのいずれもがオンとなったときに計時を停止するようにすることができる。これによって、電源装置２に電源投入を指示してから所定時間Ｔａ内に、直流電源ＤＣｍが略規定電圧Ｖｍｈとなり、且つ副電源の出力ＤＣｓが略規定電圧Ｖｓｈとなったかどうか、を監視することができる。
時間Ｔａ内に主電源正常信号ＰＧｍ及び副電源正常信号ＰＧｓのいずれかが出力されなかった場合には、タイマー５ａは出力信号ＴＯａをオンにセットする。出力信号ＴＯａは前記出力回路３に接続されており、電源装置２に直流電源の供給を停止させるための電源停止信号７として用いることができる。
【００３６】
副電源が２以上ある場合には、電源投入制御回路１２は、副電源ごとに副電源監視回路８を備え、それぞれの副電源監視回路８からの副電源正常信号ＰＧｓの論理積（ワイヤードＯＲ）信号によって、各タイマーの計時を停止させるように構成することができる。
以上の他、主電源監視回路、副電源監視回路及び各タイマー、並びに各タイマーの計時開始信号及び停止信号等については、種々変形した構成や組み合わせが可能である。
【００３７】
図４に例示した電源装置２からは、出力する直流電源ＤＣｍが略規定電圧となっていることを示す電源正常信号ＰＧが出力されている。電源装置２がＡＴＸ電源である場合には、ＰＷＲ＿ＯＫ信号がこれに相当する。このような場合には、主電源監視回路４により主電源正常信号ＰＧｍを生成する必要がなく、主電源監視回路４として電源装置２の電源正常信号ＰＧをそのまま主電源正常信号ＰＧｍとして用いるように構成することができる。
【００３８】
以上に述べた主電源監視回路４及び副電源監視回路８は、例えば図６に示すような公知の電圧監視回路により構成することができる。主電圧監視回路４は、ヒステリシス特性を有する比較回路４１により、直流電源ＤＣｍの電圧に比例した電圧を基準電圧４１１と比較することにより、直流電源ＤＣｍの電圧が略規定電圧Ｖｍｈ以上であるとき出力回路４４をオンとし、主電源正常信号ＰＧｍを出力する。主電源正常信号ＰＧｍを時間Ｄだけ遅延させる遅延回路４３を備えてもよい。出力回路４４はオープンドレイン出力とすることができる。この回路の動作は、図７のタイムチャートに示すとおりとなる。副電源監視回路８についても同様である。
前記のとおり、主電源正常信号ＰＧｍ及び副電源正常信号ＰＧｓは、上記と同様の機能を備えた電源自体や電源制御用ＩＣ、初期化回路等によって生成されてもよい。
【００３９】
（２）電源投入制御回路の動作
図８は、前記電源投入制御回路１の動作を示す。同図は、電源装置２に供給される商用電源ＶＡＣ、負荷回路９側から電源投入制御回路１に入力される電源要求信号ＰＳｏｎ＃、電源投入制御回路１の出力回路３から電源装置２に出力される電源投入信号ＰＳ＿ＯＮ＃、電源装置２から出力される直流電源ＤＣｍ、主電源監視回路４から出力される主電源正常信号ＰＧｍ、及びタイマー５の出力信号ＴＯ＃を表わす。
【００４０】
商用電源ＶＡＣが供給されている状態であっても電源投入信号ＰＳ＿ＯＮ＃がオフ（Ｈ）の間は、電源装置２は負荷回路９に直流電源ＤＣｍを出力しない。電源投入制御回路１には待機電源（ＶＳ）が供給されており、電源要求信号ＰＳｏｎ＃の状態を監視することができる。負荷回路９側で、電源スイッチ、ソフトウェアによるオン、ＬＡＮによる起動（Wake on LAN）等の要因により電源オンが要求されたとき、電源要求信号ＰＳｏｎ＃がオン（Ｌ）にセットされ、電源投入制御回路１は電源投入信号ＰＳ＿ＯＮ＃をオン（Ｌ）とすることにより電源装置２に電源投入を指示する（Ｓ１）。このとき、電源投入制御回路１は時間Ｔａのタイマーをスタートさせる。電源装置２は、電源投入信号ＰＳ＿ＯＮ＃がオンとされると直流電源ＤＣｍを立ち上げる。
【００４１】
負荷回路９及び電源装置２に異常がない場合には、破線で示すように、直流電源ＤＣｍが規定電圧まで上昇する（ＤＣｍｎ）。この場合、直流電源ＤＣｍが略規定電圧Ｖｍｈを越えたときに主電源監視回路４から主電源正常信号ＰＧｍが出力され（ＰＧｍｎ）、それにより計時が停止されるためタイマー５の出力信号ＴＯ＃はオフのままとなる。したがって電源投入信号ＰＳ＿ＯＮ＃はオンのままであり、電源装置２から直流電源ＤＣｍが継続して供給される。
【００４２】
一方、負荷回路９又は電源装置２に異常がある場合には、実線で示すように、直流電源ＤＣｍが規定電圧まで上昇しない（ＤＣｍａ）。そうすると主電源監視回路４から主電源正常信号ＰＧｍが出力されず、時間Ｔａが経過するとタイマー５の出力信号ＴＯ＃がオン（Ｌ）となる。これによって電源投入信号ＰＳ＿ＯＮ＃はオフ（Ｈ）とされ、電源装置２は直流電源ＤＣｍの出力を断（オフ）とする。
【００４３】
電源投入信号ＰＳ＿ＯＮ＃をオンとしてから直流電源ＤＣｍが略規定電圧Ｖｍｈを越えるまでの時間Ｔ１は、電源装置２の容量・特性や負荷回路９の負荷の大きさ等によって異なる。また、電源投入時の電源回路の状態によって大きく変動する。例えば、電源をオフにしてからの経過時間が短い場合には、静電容量が十分に放電されていないため時間Ｔ１は短くなる。直流電源ＤＣｍが略規定電圧Ｖｍｈを越えてから主電源正常信号ＰＧｍが出力されるまでの時間Ｔ３は、主電源監視回路４の遅延時間によって定まる。
本電源投入制御回路の目的から、タイマーの時間Ｔａは、正常な場合の各種条件下で最大となる上記時間（Ｔ１＋Ｔ３）よりも長く、且つできるだけ短い時間とすることが好ましい。
【００４４】
図９は、第２タイマー６を備える電源投入制御回路１の動作を示す。図中の各信号は図８と同じであり、共通する動作については説明を省略する。
前記のとおり、電源装置２は、電源投入信号ＰＳ＿ＯＮ＃がオンとされると直流電源ＤＣｍを立ち上げる。電源投入信号ＰＳ＿ＯＮ＃をオンとした後、直流電源ＤＣｍの電圧が前記基準電圧Ｖｍｌを越えたとき（Ｓ２）、時間Ｔｂの第２タイマー６がスタートされる。
【００４５】
負荷回路９及び電源装置２に異常がない場合には、前記同様、直流電源ＤＣｍが略規定電圧Ｖｍｈを越えたときに主電源監視回路４から主電源正常信号ＰＧｍが出力される（ＰＧｍｎ）。それにより計時が停止されるため、第２タイマー６の出力信号ＴＯ＃はオフ、電源投入信号ＰＳ＿ＯＮ＃はオンの状態が継続し、電源装置２から直流電源ＤＣｍが継続して出力される。
一方、負荷回路９又は電源装置２に異常があって直流電源ＤＣｍが規定電圧Ｖｍｈまで上昇しない場合（ＤＣｍａ）には、前記同様、時間Ｔｂが経過すると第２タイマー６の出力信号ＴＯ＃がオン（Ｌ）となる。これによって電源投入信号ＰＳ＿ＯＮ＃はオフ（Ｈ）とされ、電源装置２は直流電源ＤＣｍの出力を断（オフ）とする。
【００４６】
電源投入信号ＰＳ＿ＯＮ＃をオンとしてから直流電源ＤＣｍが立ち上がり始めるまでの時間（Ｔ１−Ｔ２）は、電源投入時の電源回路の状態によって大きく変動する。例えば、前に電源をオフにしてからの経過時間が短い場合には、静電容量が十分に放電されていない等により時間（Ｔ１−Ｔ２）は短くなる。このため、異常検出の精度を高めるためには、直流電源ＤＣｍが立ち上がり始めるまでの時間（Ｔ１−Ｔ２）を除き、直流電源が立ち上がりを開始したとき（Ｓ２）から略規定電圧Ｖｍｈに上昇するまでの時間、すなわち（Ｔ２＋Ｔ３）を監視することが好ましい。第２タイマーによりこの時間が監視されるため、異常検出の精度をよくすることが可能になる。
直流電源ＤＣｍが基準電圧Ｖｍｌを越えてから略規定電圧Ｖｍｈを越えるまでの時間Ｔ２は、電源装置２及び負荷回路９の特性等によって異なる。したがって、第２タイマーの時間Ｔｂは、正常な場合の各種条件下で最大となる上記時間（Ｔ２＋Ｔ３）よりも長く、且つできるだけ短い時間（例えば、５００ｍｓ〜１ｓ）とすることが好ましい。
【００４７】
図１０は、副電源監視回路８を備える前記電源投入制御回路１１の動作を示す。図中、ＤＣｓは副電源９２から出力される直流電源、ＰＧｓは副電源監視回路８から出力される副電源正常信号を表わし、その他の各信号は図８と同じであり、共通する動作については説明を省略する。
電源投入制御回路１１は、前記同様に、直流電源ＤＣｍの電圧が基準電圧Ｖｍｌを越えたとき（Ｓ２）、時間Ｔｃの第２タイマー６ｃをスタートさせる。
【００４８】
負荷回路９、副電源８及び電源装置２に異常がない場合には、直流電源ＤＣｍの供給を受けて副電源により直流電源ＤＣｓが立ち上がる（ＤＣｓｎ）。その直流電源ＤＣｓの電圧が略規定電圧Ｖｓｈを越えたときに、副電源監視回路８から副電源正常信号ＰＧｓが出力される（ＰＧｓｎ）。それにより計時が停止されるため、第２タイマー６ｃの出力信号ＴＯ＃はオフ、電源投入信号ＰＳ＿ＯＮ＃はオンの状態が継続し、電源装置２から直流電源ＤＣｍが継続して供給される。
一方、負荷回路９、副電源８又は電源装置２に異常があって、直流電源ＤＣｍがその規定電圧まで上昇するかしないか（ＤＣｍｎ又はＤＣｍａ）に関わらず、副電源ＤＣｓがその規定電圧まで上昇しない場合（ＤＣｓａ）には、副電源正常信号ＰＧｓが出力されない。そして時間Ｔｃが経過すると第２タイマー６ｃの出力信号ＴＯ＃がオン（Ｌ）となるため、電源投入信号ＰＳ＿ＯＮ＃はオフ（Ｈ）とされ、電源装置２は直流電源ＤＣｍの出力を断（オフ）とする。
【００４９】
直流電源ＤＣｍが基準電圧Ｖｍｌを越えてから副電源９２の出力が略規定電圧Ｖｓｈを越えるまでの時間は、電源装置２、副電源９２及び負荷回路９の特性等によって異なる。また、副電源の出力が略規定電圧Ｖｓｈを越えてから副電源正常信号ＰＧｓｎが出力されるまでには遅延時間Ｄが生じる。したがって、本電源投入制御回路では、第２タイマー６ｃの時間Ｔｃを、正常な場合の各種条件下で、直流電源ＤＣｍが電圧Ｖｍｌを越えてから副電源正常信号ＰＧｓｎが出力されるまでの最大時間よりも長く、且つできるだけ短い時間とすることが好ましい（例えば、６００ｍｓ〜１ｓ）。
【００５０】
図１４は、ＡＴＸ電源について規定された電源供給開始時のタイミングを示す（ATX12V Power Supply Design Guide Version 2.2を参照）。ＡＴＸ電源においては、電源投入信号ＰＳ＿ＯＮ＃がオンとされてから出力電圧（＋１２Ｖ、＋５Ｖ、＋３．３Ｖ）が規定電圧の９５％に達するまでの電源オン時間Ｔ１（Ｔ１＜５００ｍｓ）、出力電圧が規定電圧の１０％以上となってから９５％に達するまでの立上り時間Ｔ２（０．１ｍｓ≦Ｔ２≦２０ｍｓ）、その後各出力電圧が正常であることを示す電源正常信号ＰＷＲ＿ＯＫが出力されるまでの遅延時間Ｔ３及び立上り時間Ｔ４（１００ｍｓ＜Ｔ３＜５００ｍｓ、Ｔ４≦１０ｍｓ）がそれぞれ規定されている。したがって、電源投入信号ＰＳ＿ＯＮ＃をオンとしてから電源正常信号ＰＷＲ＿ＯＫがオンとされるまでの時間（Ｔ１＋Ｔ３＋Ｔ４）は、長くても約１秒となる。また、出力電圧が１０％以上となってから電源正常信号ＰＷＲ＿ＯＫがオンとされるまでの時間（Ｔ２＋Ｔ３＋Ｔ４）は、長くても約０．５秒となる。
【００５１】
電源装置２がＡＴＸ電源である場合、上記を考慮すれば、前記タイマーで監視する時間Ｔａは約１秒とすることが好ましい。前記のとおり、電源投入信号ＰＳ＿ＯＮ＃をオンとしてから出力電圧が立ち上がるまでの時間Ｔ１は電源装置及び負荷回路の特性によるが、とくに出力電圧が立ち上がり始めるまでの時間（Ｔ１−Ｔ２）は電源の放電状態等によって大きく変動するものである。このため、負荷回路側に異常があるかどうかを検出するためには、出力電圧が立ち上がり始めてから電源正常となるまでの時間（Ｔ２＋Ｔ３＋Ｔ４）により監視した方が精度よく検出することができる。したがって、前記第２タイマーによって監視する時間Ｔｂは、０．５秒程度とすることが好ましい。
また、副電源が備えられる場合には、主電源が立ち上がってから副電源が立上がるまでの時間は副電源及び負荷の特性によるが、副電源が立ち上がってから副電源正常信号が出力されるまでの遅延時間は通常適宜に設定することができる。これらの点を考慮すると、前記第２タイマーによって監視する時間Ｔｃは、０．６〜１秒程度の範囲とすることが好ましい。
【００５２】
（３）電源投入制御方法
以上に例示した電源投入制御回路を使用して、種々の電源投入制御方法が可能である。電源投入制御方法は、入力される電源投入信号に従って直流電源を供給する前記電源装置２に接続され、主電源として該直流電源の供給を受ける負荷回路９において使用される。
第１に、電源装置２に対して電源投入信号を活性にしたときタイマーによる計時を開始する電源投入ステップと、電源装置２から出力される直流電源（主電源）の電圧が略規定電圧となったとき主電源正常と判断する主電源監視ステップと、前記タイマーにより所定時間が計時されるまでに前記主電源監視ステップにより主電源正常と判断されなかった場合には、電源投入信号を非活性にすることにより電源装置に直流電源の供給を停止させる電源停止ステップと、を備える電源投入制御方法１とすることができる。
【００５３】
上記電源投入制御方法１の制御の流れを図１１に示す。待機時においては、電源スイッチ、ソフトウェアによるオン、ＬＡＮによる起動等の電源投入要因を監視し（Ｓ０１）、いずれかが生じた場合には電源投入信号（ＰＳ＿ＯＮ＃）をオンとすることにより、電源装置２に電源投入を指示する（Ｓ１０）。このとき、所定時間Ｔａのタイマー（第１タイマー）をスタートさせて計時を開始する（Ｓ１１）。その後、電源装置２から出力される直流電源（主電源）の電圧が略規定電圧Ｖｍｈとなったかどうかを監視する（Ｓ６１）。そして、時間Ｔａ内に主電源の電圧が略規定電圧となった場合には主電源正常と判断し、上記タイマーを停止させて（Ｓ７１）、制御処理を終了する。一方、時間Ｔａが経過するまでに主電源正常とならなかった場合には、電源投入信号をオフにする（Ｓ２１、Ｓ８１）。これにより電源装置２に直流電源の供給を停止させることができる。
前記電源投入ステップはステップＳ１０及びＳ１１、前記主電源監視ステップはステップＳ６１、前記電源停止ステップはステップＳ２１及びＳ８１により構成されている。
【００５４】
第２に、上記電源投入制御方法１において、上記主電源の電圧が所定値を越えたとき第２タイマーによる計時を開始する主電源出力開始検出ステップと、前記第２タイマーにより所定時間が計時されるまでに前記主電源監視ステップにより主電源正常と判断されなかった場合には、電源投入信号を非活性にすることにより前記電源装置に直流電源の供給を停止させる第２の電源停止ステップと、を更に備える電源投入制御方法２とすることができる。
【００５５】
図１２のフローチャートにおいて、ステップＳ０１、Ｓ１０、Ｓ１１、Ｓ６１等は前図と同じである。ステップＳ１１で前記第１タイマーをスタートさせた後、主電源の電圧が所定値（基準電圧Ｖｍｌ）を越えたかどうかを監視し（Ｓ３１）、基準電圧Ｖｍｌを越えたとき、所定時間Ｔｂを計時する第２タイマーをスタートさせる（Ｓ３２）。その後、主電源正常となったかどうかを監視する（Ｓ６１）。時間Ｔａ内かつ時間Ｔｂ内に主電源正常となった場合には、上記第１及び第２タイマーを停止させて（Ｓ７２）、制御処理を終了する。一方、時間Ｔａ又はＴｂが経過するまでに主電源正常とならなかった場合には、電源投入信号をオフにする（Ｓ８１）。これにより電源装置２に直流電源の供給を停止させることができる。
前記主電源出力開始検出ステップはステップＳ３１及びＳ３２、前記第２の電源停止ステップはステップＳ５１及びＳ８１により構成されている。
【００５６】
第３に、上記電源投入制御方法１において、負荷回路９には前記主電源の供給を受けて別の直流電源を出力する１又は２以上の副電源９２が設けられており、前記主電源の電圧が所定値を越えたとき第２タイマーによる計時を開始する主電源出力開始検出ステップと、各前記副電源の出力電圧が略規定電圧となったとき当該副電源について副電源正常と判断する副電源監視ステップと、前記第２タイマーにより所定時間が計時されるまでに、少なくとも１つの前記副電源について前記副電源監視ステップにより副電源正常と判断されなかった場合には、前記電源投入信号を非活性にすることにより前記電源装置に前記直流電源の供給を停止させる第２の電源停止ステップと、を更に備える電源投入制御方法３とすることができる。
【００５７】
図１３のフローチャートにおいて、主電源出力開始検出ステップ（Ｓ３１、Ｓ３２）までは上記電源投入制御方法２と同様である。その後、各副電源の出力電圧が略規定電圧Ｖｓｈとなったかどうかを監視し、略規定電圧となったときは副電源正常と判断する。そして、所定時間Ｔｂ内にすべての副電源について副電源正常と判断された場合には、上記第１及び第２タイマーを停止させて（Ｓ６２、Ｓ７２）、制御処理を終了する。一方、時間Ｔａ又はＴｂが経過するまでにいずれかの副電源について副電源正常とならなかった場合には、電源投入信号をオフにする（Ｓ８１）。これにより電源装置２に直流電源の供給を停止させることができる。
前記副電源監視ステップはステップＳ６２、前記第２の電源停止ステップはステップＳ５１及びＳ８１により構成されている。
【００５８】
第４に、上記電源投入制御方法３において、前記第２の電源停止ステップは、前記第２タイマーにより所定時間Ｔｂが計時されるまでに、更に主電源正常となったかどうかを監視し（図１３のＳ６２）、主電源正常と判断されなかった場合には、前記電源投入信号を非活性にすることにより前記電源装置に前記直流電源の供給を停止させる電源投入制御方法４とすることができる。
【００５９】
第５に、上記電源投入制御方法２乃至４のいずれかにおいて、前記主電源出力開始検出ステップは、前記所定値として、前記主電源の電圧に比例した電圧が入力される論理回路素子の閾値を用いる電源投入制御方法５とすることができる。
【００６０】
第６に、上記電源投入制御方法１乃至５のいずれかにおいて、前記電源装置２は、供給する前記直流電源が略規定電圧となっていることを示す電源正常信号の出力を備えており、前記主電源監視ステップは、前記電源装置からの前記電源正常信号が入力されたとき主電源正常と判断する電源投入制御方法６とすることができる。
【００６１】
なお、本発明においては、上述の実施形態に限られず、目的、用途に応じて本発明の範囲内で種々変更した実施形態とすることができる。
【符号の説明】
【００６２】
１、１１、１２；電源投入制御回路、２；電源装置、３；出力回路、３１；電源要求信号（ＰＳｏｎ＃）、３２；電源投入信号（ＰＳ＿ＯＮ＃）、４；主電源監視回路、５、５ａ；タイマー（第１タイマー）、６、６ｃ、６ｄ；第２タイマー、６１；電圧比較回路、７；電源停止信号、８；副電源監視回路、９；負荷回路、９２、９２ａ、９２ｂ、９２ｃ；副電源、ＤＣｍ；電源装置から出力される直流電源（主電源）、ＤＣｓ；副電源から出力される直流電源、ＰＧｍ；主電源正常信号、ＰＧｓ；副電源正常信号、ＰＵ；主電源出力開始信号、ＴＯａ、ＴＯｂ、ＴＯｃ、ＴＯｄ、ＴＯ＃；タイマー出力信号、ＶＡＣ；商用電源、ＶＳ；待機電源。
【図１】
0005455826.tif 000002
【図２】
0005455826.tif 000003
【図３】
0005455826.tif 000004
【図４】
0005455826.tif 000005
【図５】
0005455826.tif 000006
【図６】
0005455826.tif 000007
【図７】
0005455826.tif 000008
【図８】
0005455826.tif 000009
【図９】
0005455826.tif 000010
【図１０】
0005455826.tif 000011
【図１１】
0005455826.tif 000012
【図１２】
0005455826.tif 000013
【図１３】
0005455826.tif 000014
【図１４】
0005455826.tif 000015